(57)【特許請求の範囲】
【請求項１】
キー操作部又はLCD表示部を照明するバックライト装置と周囲の明るさを検出する光センサー部と周囲光に応じて前記バックライト装置を制御し照明光を調節するバックライト制御手段を備えた情報端末機器において、キー操作からある一定時間周囲光に応じて照明光を点灯させる照明制御手段と、ある一定時間間隔毎に前記光センサー部へ通電させる光センサー制御手段とを設け、周囲光の検出時以外は前記光センサー部への通電を禁止することを特徴とする情報端末機器のバックライト制御方式。
【請求項２】
前記情報端末機器は、さらに光ガイドと前記光センサー部に隣接して設けられた着信を表示する着信LEDを備え、前記光ガイドでもって着信時は着信LEDの光を外部に導いて着信表示を行い、照明制御時は周囲光を前記光センサー部に導くことを特徴とする請求項1に記載の情報端末機器のバックライト制御方式。
【発明の詳細な説明】
【０００１】
【発明の属する技術分野】
本発明は移動無線機等情報端末装置におけるバックライト制御方式の改良に関する。
【０００２】
【従来の技術】
従来移動無線機等情報端末装置は、例えば特開平4-343529のように番号キー、機能キー等のキー操作部や数字表示器を照明する照明手段を備え、キー操作により一定時間前記照明手段を点灯する照明装置があり、前記キーが操作される毎に一定時間動作して前記照明手段を点灯させるタイマと、このタイマの動作中に周囲の光量を検出する光センサー部を備え、その受光量に応じて前記照明手段に流れる駆動電流量を制御するとともに、検出された周囲の光量が所定量以上のとき、駆動電流を遮断する電流制御手段とを備えた照明装置がある。
【０００３】
【発明が解決しようとする課題】
従来の移動無線機等情報端末装置の照明装置は上記のように構成されており、キー操作部のキーを押下するとある一定時間バックライト照明光と共に光センサー部に電源を供給していることとなり、必要以上にバッテリーの電力を消耗していた。特に電話番号の登録や文字メッセージの入力などキーの操作を多く必要とする特定のモードにおいては光センサー部に電力が供給されたままとなり、バッテリから不必要な電力の消費を生じるという問題があった。
【０００４】
また周囲光を検出するために別途光センサー用の基板を設けるか、もしくは光ガイドで共通基板上の光センサーに周囲光を導く必要があり、余分なスペースを必要としたりコストアップとなったりしていた。
【０００５】
【課題を解決するための手段】
本発明は上記のような問題を解決するためになされたもので、不必要な電力を消費することなく操作性、視認性や携帯性に優れた移動無線機等情報端末装置のバックライト制御方式を提供するものである。
【０００６】
そのため本発明においては、キー操作部又はLCD 表示部を照明するバックライト装置と周囲の明るさを検出する光センサー部と周囲光に応じて前記バックライト装置を制御し照明光を調節するバックライト制御手段を備えた情報端末機器において、キー操作からある一定時間周囲光に応じて照明光を点灯させる照明制御手段と、ある一定時間間隔毎に前記光センサー部へ通電させて周囲光を検出する光センサー制御手段とを設け、周囲光の検出時以外は前記光センサー部への通電を禁止するようにしたものである。
【０００７】
またキー操作部又はLCD 表示部を照明するバックライト装置と周囲の明るさを検出する光センサー部と周囲光に応じて前記バックライト装置を制御し照明光を調節するバックライト制御手段を備えた移動無線機等情報端末機器において、着信を表示する着信LED に隣接して前記光センサーを設け、ひとつの光ガイドでもって着信時は着信LED の光を外部に導いて着信表示を行い、照明制御時は周囲光を前記光センサーに導くことにより前記課題を達成している。
【０００８】
【発明の実施の形態】
以下図面等を参照して本発明をさらに詳しく説明する。
図１は本発明に係る情報端末装置のバックライト制御装置のブロック構成図である。図において、１は周囲の明るさを検出する光センサー部、２は各種情報の入力、センサー電源制御、バックライト制御、など情報端末装置の制御を行うＣＰＵ、３は情報を表示するＬＣＤとバックライト照明等のＬＣＤ表示部、４は番号キー、機能キー等の情報入力キーとバックライト照明等からなるキー操作部である。
図２はキー入力、バックライト制御、光センサー制御を示すタイミング図である。図３は移動無線機における着信LED と光センサーと光ガイドの配置例を示す配置図である。
【０００９】
図1 において、キー操作部４のいずれかのキーが押下されるとこれを検出し、ＣＰＵ２は光センサー部１に電源をオンとする電源制御信号を送出して周囲光の明るさを検出させると共に、バックライト照明時間用のタイマ１と光センサー電源制御周期用タイマ２を起動する。タイマ１は指定された時間Ｔ１だけ動作してその動作時間中ＬＣＤ表示部およびキー操作部のバックライトを制御する。タイマ２は指定された周期Ｔ２で動作し、周期Ｔ２毎に光センサー部１の電源をオンとし周囲光の検出結果を読み取る。
【００１０】
キー押し下げによりタイマ２が起動すると光センサー部１の電源をオンとして光センサー部が動作し、周囲光を検出する。ＣＰＵ２は検出した周囲光の明るさを読み取ると光センサー部１の電源をオフとし、バッテリーの消費を最小限に押さえる。これと同時にＣＰＵ２はタイマ1 を起動すると共に周囲光の明るさに応じてバックライトの明るさを設定し、制御する。また、光センサー部１で検出した周囲の明るさがＬＣＤ表示部３の読み取りやキー操作部４での操作を行なうのに十分のときにはバックライトへの通電を遮断しオフとするように制御する。
【００１１】
タイマ１の起動後、指定時間Ｔ１以内にキー操作部のキーが押し下げられるとタイマ１はリセットして再スタートする。このように時間Ｔ１以内にキーが押し下げられるとタイマ１は時間Ｔ１に達することなくバックライトは照明を継続する。特に電話番号の登録や文字メッセージの入力などキーの操作を多く必要とするときには次々とキー操作を行うのでそれに応じてバックライトも継続している。
キー操作後時間Ｔ１が経過するとタイマ１は指定時間に達し、バックライトへの通電を遮断してオフとし、タイマ２の動作を停止させ、次のキー操作まで待機状態となる。
【００１２】
一方タイマ２は周期Ｔ２で動作しキー操作とは無関係にタイマ１が動作している間、すなわちバックライトを制御している間に時間Ｔ２に達すると再度光センサー部１の電源をオンとして周囲光の明るさを読み取ったあと光センサー部の電源をオフとする。また検出した周囲光の明るさに応じてバックライトの明るさを設定し、制御する。このように光センサー部１はタイマ２が周期Ｔ２に達する度に電源がオンとなって周囲光を検出しバックライトの明るさを制御する。また、光センサー部１で検出した周囲の明るさがＬＣＤ表示部３の読み取りやキー操作部４での操作を行なうのに十分のときにはバックライトへの通電を遮断しオフとするように制御する。この動作はタイマ１が動作している間、すなわちバックライトを制御している間タイマ２で指定した周期Ｔ２で行っている。
【００１３】
図３は移動電話機における着信LED と光センサーと光ガイドの配置例を示す配置図である。図３のようにキー操作部４又はLCD 表示部３を照明するバックライト装置と周囲の明るさを検出する光センサー部１と周囲光に応じて前記バックライト装置を制御し照明光を調節するバックライト制御手段を備えた移動電話機等情報端末機器において、着信を表示する着信LED に隣接して前記光センサーを配置して光センサー部を構成し、ひとつの光ガイドでもって移動電話の着信時は着信LED の光を外部に導いて着信表示を行い、バックライト制御時は周囲光を前記光センサーに導くことにより小型軽量化を達成している。
また、前記周囲光の検出において着信ＬＥＤが点滅中（点灯中）は周囲光の検出を禁止し、着信ＬＥＤ消灯後周囲光の検出を行うことにより着信ＬＥＤと隣接して光センサーを配置しても正確に周囲の明るさを検出することができる。
【００１４】
【発明の効果】
以上のように本発明によれば、光センサー部への電源供給をある一定周期毎に行って周囲光を検出し、周囲光の明るさに応じてＬＣＤ表示部、キー操作部のバックライトの明るさを制御するため、操作者の操作しやすい操作、見やすい表示環境を提供するとともに、消費電力の低減を図ることができる。特に電話番号の登録や文字メッセージの入力などキーの操作を多く必要とする特定のモードにおいて本発明の効果は顕著であり、従来光センサー部で常に消費していた電力を大幅に軽減することができる。
【００１５】
また、従来着信ＬＥＤ表示と光センサー部を別々に設けていたが着信ＬＥＤと隣接して光センサーを配置し、ひとつの光ガイドでもって外部に光を導くと共に周囲光を検出するため、消費電力の軽減と共に小型軽量化とコストダウン達成する大きな効果がある。
【図面の簡単な説明】
【図１】本発明のブロック構成図
【図２】キー入力、バックライト制御、光センサー制御を示すタイミング図
【図３】着信LED と光センサーと光ガイドの配置図。
【符号の説明】
１光センサー部
２ＣＰＵ
３ＬＣＤ表示部
４キー操作部
【図１】
0003659472.tif 000002
【図２】
0003659472.tif 000003
【図３】
0003659472.tif 000004